【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
第１のシステム上の第１のファイルストアにファイルを記憶するステップ、
前記ファイルに関係するメタデータを前記第１のシステム上のアイテムストア中に作成するステップであって、前記メタデータは前記ファイルの内容から導出され、ファイル支援アイテムに含まれるステップ、
第２のファイルストアと第２のアイテムストアとを有する第２のシステムを前記第１のシステムに接続し、接続されている間に前記メタデータに関係する前記ファイルを同期させることなく前記第１のアイテムストアを前記第２のアイテムストアと同期させるステップであって、同期後の前記第２のアイテムストアが前記ファイルに関係するメタデータのコピーを有するステップ、
前記第２のシステムを前記第１のシステムから切断し、切断されている間に、前記メタデータのコピーを編集するステップ、および、
前記第２のシステムを前記第１のシステムに再接続し、接続されている間に、前記ファイルを同期させることなく前記第１のアイテムストアを前記第２のアイテムストアと同期させるステップであって、同期後の前記アイテムストアが前記メタデータのコピーに対する編集を有するステップ
を備えたことを特徴とする方法。
【請求項２】
前記第１のアイテムストアを前記第２のアイテムストアと同期させる前記ステップは、
第１のバージョンのアイテムを前記第１のシステム上で見つけ、前記第１のバージョンのアイテムに対応する第２のバージョンのアイテムを前記第２のシステム上で見つけるステップ、
前記第１のバージョンのアイテムと前記第２のバージョンのアイテムのいずれかを保持されるバージョンと識別するステップ、および、
前記第１のアイテムストアと前記第２のアイテムストアの両方が前記保持されるバージョンのアイテムを含むように、前記保持されるバージョンのアイテムをコピーするステップ
を備えたことを特徴とする請求項１に記載の方法。
【請求項３】
前記識別するステップは、
更新インジケータを調べて、前記第１のバージョンのアイテムと前記第２のバージョンのアイテムの一方が前回の同期の後で変化したと判定するステップを備えたことを特徴とする請求項２に記載の方法。
【請求項４】
前記ファイルのファイルタイプを決定するステップ、および、
前記ファイルタイプに基づいて所定のアイテムのメタデータ値を決定するステップ
を備えた方法によって、メタデータが導出されることを特徴とする請求項１に記載の方法。
【請求項５】
前記ファイルのファイルタイプを決定するステップ、および、
前記ファイルに含まれるデータの少なくとも一部を要約してメタデータ値を決定するステップ
を備えた方法によって、メタデータが導出されることを特徴とする請求項１に記載の方法。
【請求項６】
前記ファイル支援アイテムに関連する前記ファイルに対する変更を識別するステップ、および、
前記ファイル支援アイテム中の前記メタデータに前記変更を反映するステップ
をさらに備えたことを特徴とする請求項１に記載の方法。
【請求項７】
前記ファイル支援アイテム中の前記メタデータに対する変更を識別するステップ、および、
前記ファイル支援アイテムに関連する前記ファイルに前記メタデータに対する変更を反映するステップ
をさらに備えたことを特徴とする請求項６に記載の方法。
【請求項８】
第１および第２のシステムを含むシステムを、
前記第１のシステム上の第１のファイルストアにファイルを記憶する手段、
前記ファイルの内容から前記メタデータを導出し、ファイル支援アイテムに含めることで、前記ファイルに関係するメタデータを前記第１のシステム上のアイテムストア中に作成する手段、
第２のファイルストアと第２のアイテムストアとを有する前記第２のシステムが前記第１のシステムに接続されている間に、同期後の前記第２のアイテムストアが前記ファイルに関係するメタデータのコピーを有するように、前記メタデータに関係する前記ファイルを同期させることなく前記第１のアイテムストアを前記第２のアイテムストアと同期させる手段、
前記第２のシステムが前記第１のシステムから切断されている間に、前記メタデータのコピーを編集する手段を提供する手段、および
前記第２のシステムが前記第１のシステムに再接続されている間に、再同期後の前記アイテムストアが前記メタデータのコピーに対する編集を有するように、前記ファイルを同期させることなく前記第１のアイテムストアを前記第２のアイテムストアと再同期させる手段
として機能させるプログラム。
【請求項９】
ファイルを有する第１のファイルストア、
前記ファイルに関係するメタデータであって前記ファイルの内容から導出されたメタデータを含むファイル支援アイテムを有する第１のアイテムストア、
第２のファイルストアと第２のアイテムストアとを有する第２のシステムとの接続および前記第２のシステムからの切断に適した接続手段と、
前記第２のシステムと接続されている間に、同期後の前記第２のアイテムストアが前記ファイルに関係するメタデータのコピーを有するように、前記メタデータに関係する前記ファイルを同期させることなく前記第１のアイテムストアを前記第２のアイテムストアと同期させる手段、
前記第２のシステムから切断されている間に、前記メタデータのコピーを編集する手段を提供する手段、および
前記第２のシステムと再接続されている間に、再同期後の前記アイテムストアが前記メタデータのコピーに対する編集を有するように、前記ファイルを同期させることなく前記第１のアイテムストアを前記第２のアイテムストアと再同期させる手段
を備えたことを特徴とするシステム。
【請求項１０】
前記第１のアイテムストアを前記第２のアイテムストアと同期させる前記手段は、
第１のバージョンのアイテムを前記第１のシステム上で見つけ、前記第１のバージョンのアイテムに対応する第２のバージョンのアイテムを前記第２のシステム上で見つける手段、
前記第１のバージョンのアイテムと前記第２のバージョンのアイテムのいずれかを保持されるバージョンと識別する手段、および、
前記第１のアイテムストアと前記第２のアイテムストアの両方が前記保持されるバージョンのアイテムを含むように、前記保持されるバージョンのアイテムをコピーする手段
を備えたことを特徴とする請求項９に記載のシステム。
【請求項１１】
前記識別する手段は、
更新インジケータを調べて、前記第１のバージョンのアイテムと前記第２のバージョンのアイテムの一方が前回の同期の後で変化したと判定する手段を備えたことを特徴とする請求項１０に記載のシステム。
【請求項１２】
前記ファイルのファイルタイプを決定する手段、および、
前記ファイルタイプに基づいて所定のアイテムのメタデータ値を決定する手段
を備え、これによりメタデータが導出されることを特徴とする請求項９に記載のシステム。
【請求項１３】
前記ファイル支援アイテムに関連する前記ファイルに対する変更を識別する手段、および、
前記ファイル支援アイテム中の前記メタデータに前記変更を反映する手段
をさらに備えたことを特徴とする請求項９に記載のシステム。
【請求項１４】
前記ファイル支援アイテムに関連する前記ファイルに対する変更を識別する手段、および、
前記ファイル支援アイテム中の前記メタデータに前記変更を反映する手段
をさらに備えたことを特徴とする請求項９に記載のシステム。
【請求項１５】
前記ファイル支援アイテム中の前記メタデータに対する変更を識別する手段、および、
前記ファイル支援アイテムに関連する前記ファイルに前記メタデータに対する変更を反映する手段
をさらに備えたことを特徴とする請求項１４に記載のシステム。